(57)【要約】【課題】使用者の体形や首形状にかかわらず、就寝時において、首筋や肩の筋緊張を引き起こしにくく且つ、頸椎付近の血流の低下及び神経の圧迫を引き起こしにくい枕を提供すること。【解決手段】後頭部を支える枕本体Ｍ１と、前記枕本体Ｍ１から背中部側に向かって延びるシート状弾性部材２０（２，３）備え、第６頸椎、第７頸椎、第１胸椎のうち少なくとも第７頸椎と対応する首部が載せ置かれるシート状弾性部材２０の下方に、当該シート状弾性部材２０（２，３）の弾性変形を可能ならしめる空隙Ｋ（Ｋ１，Ｋ２）を設けてある。【選択図】図３
2007007131.tif 000002
【特許請求の範囲】
【請求項１】
後頭部を支える枕本体と、前記枕本体から背中部側に向かって延びるシート状弾性部材を備え、第６頸椎、第７頸椎、第１胸椎のうち少なくとも第７頸椎と対応する首部が載せ置かれるシート状弾性部材の下方に、当該シート状弾性部材の弾性変形を可能ならしめる空隙を設けてあることを特徴とする枕。
【請求項２】
枕本体は、後頭部と共に首部の一部を支えるものであることを特徴とする請求項１記載の枕。
【請求項３】
シート状弾性部材の上面は、重量がかからない自然状態では、上方に向かって凸状態で湾曲していることを特徴とする請求項１又は２記載の枕。
【請求項４】
枕本体の芯体は、低反発ポリウレタンフォームで構成され、シート状弾性部材は、軟質ポリウレタンフォームで構成されていることを特徴とする請求項１乃至３のいずれかに記載の枕。
【請求項５】
空隙内には、ポリエステルわたを収容させてあることを特徴とする請求項１乃至４のいずれかに記載の枕。
【発明の詳細な説明】
【技術分野】
【０００１】
この発明は、就寝時において後頭部と共に首部を支える枕に関するものである。
【背景技術】
【０００２】
近年、就寝時において頸椎が極力自然な湾曲形状に保たれるべく、首部載置部を後頭部載置部よりも高くした枕や、ほぼ全体を低反発ウレタンフォームで構成させた枕が多数開発（例えば、特許文献１。）され、市販されている。
【０００３】
しかしながら、前者の枕は就寝時において後頭部と首部（例えば、第１頸椎〜第５頸椎と対応する首部）は最も適正な位置関係で保たれるという利点があるものの、第６、第７頸椎及び第１胸椎と対応する首部に関しては支持されない場合があり、このため、使用者は、首筋や肩の筋緊張により眠りが浅くなったり翌日に当該部分に痛みを感じたりすることがある。
【０００４】
他方、後者の枕は、低反発ウレタンフォームで構成されているから、後頭部や首部に集中荷重が働かない状態で第１〜第７頸椎及び第１胸椎の全てを保持させることも可能であるが、第６頸椎〜第７頸椎及び第１胸椎あたりを覆う背中側の肉厚は薄いため、首部への実質的な反力が大きいこの種の枕では当該部分において血流の低下及び神経の圧迫を引き起こす危険性が高い。長期的にこのような枕を使用していると身体に障害が出てくる可能性がある。
【０００５】
したがって、枕を取り扱う業界では、使用者の体形や首形状にかかわらず、就寝時において、首筋や肩の筋緊張を引き起こしにくく且つ、頸椎付近の血流の低下及び神経の圧迫を引き起こしにくい枕が開発されることを待ち望んでいる。
【特許文献１】特開２００４−４９８３２号公報
【発明の開示】
【発明が解決しようとする課題】
【０００６】
そこで、この発明では、使用者の体形や首形状にかかわらず、就寝時において、首筋や肩の筋緊張を引き起こしにくく且つ、頸椎付近の血流の低下及び神経の圧迫を引き起こしにくい枕を提供することを課題とする。
【課題を解決するための手段】
【０００７】
（請求項１記載の発明）
この発明の枕は、後頭部を支える枕本体と、前記本体から背中部側に向かって延びるシート状弾性部材を備え、第６頸椎、第７頸椎、第１胸椎のうち少なくとも第７頸椎と対応する首部が載せ置かれるシート状弾性部材の下方に、当該シート状弾性部材の弾性変形を可能ならしめる空隙を設けてあることを特徴とする枕。
（請求項２記載の発明）
この発明の枕は、請求項１記載の発明に関し、枕本体が後頭部と共に首部の一部を支えるものである。
（請求項３記載の発明）
この発明の枕は、上記請求項１又は２記載の発明に関し、シート状弾性部材の上面の重量がかからない自然状態では、上方に向かって凸状態で湾曲している。
（請求項４記載の発明）
この発明の枕は、上記請求項１乃至３のいずれかに記載の発明に関し、枕本体の芯体が低反発ポリウレタンフォームで構成され、シート状弾性部材は、軟質ポリウレタンフォームで構成されている。
（請求項５記載の発明）
この発明の枕は、上記請求項１乃至４のいずれかに記載の発明に関し、空隙内には、ポリエステルわたを収容させてある。
【発明の効果】
【０００８】
この発明の枕を使用すると、使用者の体形や首形状にかかわらず、就寝時において、首筋や肩の筋緊張を引き起こしにくく且つ、頸椎付近の血流の低下及び神経の圧迫を引き起こしにくいことになる。
【発明を実施するための最良の形態】
【０００９】
以下にこの発明の枕を実施するための最良の形態としての実施例について詳細に説明する。
【実施例１】
【００１０】
図１はこの発明の枕Ｍの一部を断面した斜視図、図２は前記枕Ｍの断面図、図３はこの枕を使用して就寝している状態の枕と頸椎及び胸椎との関係を示す断面図を示している。
（この枕Ｍの基本的構成について）
この枕Ｍは、図１や図２に示すように、芯材１と、前記芯材１に巻付けられる内側のシート状弾性部材２と、前記シート状弾性部材２に巻付けられる外側のシート状弾性部材３とから構成されており、上面に後頭部載置部ｍ１とこれよりも高い位置にある首部載置部ｍ２を設けてある共に、首部載置部m2側端部における前記芯材１の外面とシート状弾性部材２の内面との間に空隙Ｋ１を、シート状弾性部材２の外面とシート状弾性部材３の内面との間に空隙Ｋ２を、それぞれ設けるようにしている。ここで、枕Ｍの平面視形状の大きさは、長さ４００ｍｍ×幅６００ｍｍ程度に、後頭部載置部ｍ１の高さは９１ｍｍ程度に、首部載置部ｍ２の高さは１０１ｍｍ程度に設定してある。
【００１１】
なお、この枕Ｍに関しては両側面を覆うようにしても、開放したままでもでもよい。
（この枕Ｍの具体的構成について）
芯体１は、低反発ウレタンフォームにより構成されており、図１や図２に示すように、略一定の厚みを有する略平坦部１０（後頭部載置部ｍ１の基礎となる）と、これよりも高い位置にある凸状に湾曲する膨らみ部１１（首部載置部ｍ２の基礎となる）とを備えたものとしてある。なお、この芯体１としては、「マザータッチ（登録商標）、品番「８０６ＥＡ」、倉敷紡績株式会社」を採用でき、膨らみ部１１の最大厚みを４５ｍｍ、略平坦部１０の厚みを３５ｍｍ程度、平面視の大きさを長さ２９０ｍｍ×幅５８０ｍｍ程度に設定している。
【００１２】
シート状弾性部材２は、厚みが８ｍｍ程度の軟質ポリウレタンフォームにより構成されており、例えば、「ソフラン（登録商標）♯８１６Ｆ（東洋ゴム工業株式会社）」が使用できる。
【００１３】
シート状弾性部材３は、厚みが１０ｍｍ程度のポリエステルわた３１（衝撃吸収材）を厚みが５ｍｍ程度の二枚の軟質ポリウレタンフォーム３０，３０により挟み込むようにして構成されており、全体の厚みは２０ｍｍ程度としてある。なお、前記軟質ポリウレタンフォームとしては例えば、「ソフラン♯８１６Ｆ（東洋ゴム工業株式会社）」が、ポリエステルわたとしては例えば、縦１ｍ×横１ｍ×厚み１ｃｍのもので６０〜１２０グラム程度のものが、それぞれ使用できる。
【００１４】
上記シート状弾性部材２，３の上面は、重量がかからない自然状態では、図４に示すように、上方に向かって凸状態で湾曲しており、空隙Ｋ１，Ｋ２はその下方、すなわち第６、第７頸椎及び第１胸椎と対向する枕Ｍ部分に形成されている。
（この枕Ｍの優れた機能について）
この枕Ｍを使用した場合、以下に示すような特有の機能を奏する。
この枕Ｍを使用する場合、就寝者は後頭部載置部ｍ１に後頭部を載せ、首部載置部ｍ２に基本的には第１〜第５頸椎に相当する首部分を載せる。この状態では後頭部及び首部における第１〜第５頸椎は安定した状態に保たれ、また、第６、第７頸椎及び第１胸椎に相当する首部分は、下面側に空隙Ｋ１，Ｋ２が存在しているシート状弾性部材２，３の上面側で受けられる。
【００１５】
ここで、就寝時において、第６、第７頸椎及び第１胸椎は、図３に示すように枕Ｍで支えられた第５頸椎と肩部との間で両持ち状態となっているが、この枕Ｍでは第６、第７頸椎及び第１胸椎を強固に受け止めるのではなく、シート状弾性部材３自体のクッション性、及び空隙Ｋ１，Ｋ２の存在によって弾性変形するシート状弾性部材２，３により第６、第７頸椎及び第１胸椎をソフトにサポートするのである。
【００１６】
したがって、この枕Ｍを使用した場合、就寝時において、首筋や肩の筋緊張を引き起こしにくく且つ、頸椎付近の血流の低下及び神経の圧迫を引き起こしにくいこととなる。
【００１７】
また、この枕Ｍでは、シート状弾性部材２，３により第６、第７頸椎及び第１胸椎に相当する首部分が支えられるようになっているから、多少使用者の体形や首形状が相違しても、最も重要な第７頸椎は確実にサポートされることになる。
【実施例２】
【００１８】
図４はこの発明の実施例２の枕Ｍの断面図、図５は前記枕Ｍを使用して就寝している状態の枕と頸椎及び胸椎との関係を示す断面図を示している。
【００１９】
この実施例２の枕Ｍは、図４に示すように、芯材１と、前記芯材１に巻付けられる内側のシート状弾性部材２と、前記シート状弾性部材２に巻付けられる外側のシート状弾性部材３とから構成されているという点では実施例１と同じであるが、首部載置部ｍ２を無くしてほぼフラットにしている点、芯材１を上側の低反発ウレタンフォーム１ａと下側の軟質ウレタンフォーム１ｂにより構成している点、基本的な厚みを９６ｍｍ程度としている点で相違している。
【００２０】
低反発ウレタンフォーム１ａは、厚みが２５ｍｍであり、例えば「マザータッチ（登録商標）、品番「８０６ＥＡ」、倉敷紡績株式会社」が使用できる。
【００２１】
軟質ウレタンフォーム１ｂは、厚みが１５ｍｍ程度であり、例えば「ソフラン（登録商標）♯８１６Ｆ（東洋ゴム工業株式会社）」が使用できる。
【００２２】
シート状弾性部材２，３及びポリエステルわたは、実施例１のものと同じものを使用している。
（この枕Ｍの優れた機能について）
この枕Ｍを使用した場合、例えば第３、４頸椎は枕上面との間に空間Ｓが形成されることになるが、実施例１の場合と同様に、シート状弾性部材３自体のクッション性、及び空隙Ｋ１，Ｋ２の存在によって弾性変形するシート状弾性部材２，３により第６、第７頸椎及び第１胸椎をソフトにサポートする。
【００２３】
したがって、この枕Ｍを使用した場合、就寝時において、首筋や肩の筋緊張を引き起こしにくく且つ、頸椎付近の血流の低下及び神経の圧迫を引き起こしにくいこととなる。また、この枕Ｍでは、シート状弾性部材２，３により第６、第７頸椎及び第１胸椎に相当する首部分が支えられるようになっているから、多少使用者の体形や首形状が相違しても、最も重要な第７頸椎は確実にサポートされることになる。
（その他の実施の形態）
上記実施例１、２の枕は、芯材１に二枚のシート状弾性部材２，３を巻き付けるようにして構成してあるが、これに限定されるものではない。すなわち、
(1) 芯材１に一枚又は三枚のシート状弾性部材を巻き付けるようにして本件枕Mを構成させるようにしてもよい。
(2) 枕Mは、図６に示すように、後頭部を支える枕本体M1と、前記枕本体M1から背中部側に向かって延びるシート状弾性部材２０を備え、第６頸椎、第７頸椎、第１胸椎のうち少なくとも第７頸椎に対応する首部分が載せ置かれるシート状弾性部材２０の下方に、当該シート状弾性部材２０の弾性変形を可能ならしめる空隙Ｋを設けてあるものであればよい。なお、枕本体Ｍ１は、後頭部と共に首部の一部を支えるものであってもよい。
(3) 上記実施例に関し、空隙Ｋ１，Ｋ２は、ポリエステルわたを収容させるようにしてもよい。
(4)芯材1及びシート状弾性部材２，３を構成する材料は同等の機能を有するものであれば自由に改変できる。
【図面の簡単な説明】
【００２４】
【図１】この発明の実施例１の枕の一部を断面した斜視図。
【図２】前記枕の断面図。
【図３】この枕を使用して就寝している状態の枕と頸椎及び胸椎との関係を示す断面図。
【図４】この発明の実施例２の枕の断面図。
【図５】前記実施例２の枕を使用して就寝している状態の枕と頸椎及び胸椎との関係を示す断面図。
【図６】この発明の基本的な枕の説明図。
【符号の説明】
【００２５】
Ｍ        枕
Ｍ１      枕本体
１        芯材
２        シート状弾性部材
３        シート状弾性部材
Ｋ１      空隙
Ｋ２      空隙
【図１】
2007007131.tif 000003
【図２】
2007007131.tif 000004
【図３】
2007007131.tif 000005
【図４】
2007007131.tif 000006
【図５】
2007007131.tif 000007
【図６】
2007007131.tif 000008